(57)【要約】【課題】点検結果を容易に確認できる誘導灯評価プログラム、誘導灯評価装置及び誘導灯評価システムを提供することである。【解決手段】実施形態に係る誘導灯評価プログラムは、撮影された誘導灯の画像データを取得する画像取得手順と、取得された誘導灯の画像データに基づいて、撮影された誘導灯の輝度に関する情報を演算する演算手順と、取得された誘導灯の画像データと、演算された誘導灯の輝度に関する情報を誘導灯の画像データに重畳表示させた評価画像データとを表示させるように制御する表示制御手順とを実行させる。【選択図】図１
2018036921.tif 000002
【特許請求の範囲】
【請求項１】
撮影された誘導灯の画像データを取得する画像取得手順と；
取得された前記誘導灯の画像データに基づいて、撮影された前記誘導灯の輝度に関する情報を演算する演算手順と；
取得された前記誘導灯の画像データと、演算された前記誘導灯の輝度に関する情報を前記誘導灯の画像データに重畳表示させた評価画像データとを表示させるように制御する表示制御手順と；
を実行させる誘導灯評価プログラム。
【請求項２】
演算された前記誘導灯の輝度に関する情報を外部のサーバに送信する送信手順をさらに実行させる請求項１に記載の誘導灯評価プログラム。
【請求項３】
前記演算手順は、輝度のキャリブレーションデータを用いて、撮影された前記誘導灯の輝度を校正する請求項１又は２に記載の誘導灯評価プログラム。
【請求項４】
前記画像取得手順は、所定の輝度の光を自発光する物体を撮影した画像データを含む、前記誘導灯の画像データを取得し、
前記演算手順は、撮影された前記物体の輝度を用いて、前記画像データの輝度に関する情報を校正するように制御する請求項１又は２に記載の誘導灯評価プログラム。
【請求項５】
前記誘導灯の状態に関する情報を前記誘導灯から無線通信により取得する状態取得手順をさらに実行させ、
前記表示制御手順は、取得された前記誘導灯の状態に関する情報を含む評価画像データを表示させるように制御し、
前記送信手順は、取得された前記誘導灯の状態に関する情報を前記外部のサーバに送信する請求項２に記載の誘導灯評価プログラム。
【請求項６】
前記表示制御手順は、前記誘導灯の輝度画像、前記誘導灯の最大輝度の位置を明示した画像、前記誘導灯の最小輝度の位置を明示した画像、前記誘導灯の輝度対比が所定の輝度対比よりも低いことを文字で明示した画像、前記誘導灯の平均輝度が所定の平均輝度よりも低いことを文字で明示した画像、前記誘導灯の色度範囲が所定の色度範囲から外れていることを文字で明示した画像、前記誘導灯が交換時期であることを文字で明示した画像のうち、すくなくとも１つを含む前記評価画像データを表示させるように制御する請求項１〜５のいずれか一つに記載の誘導灯評価プログラム。
【請求項７】
前記取得手順は、前記誘導灯がバッテリ駆動になった状態において撮影された、前記誘導灯の第１の画像データと、異なる時点における前記誘導灯の第２の画像データとを取得し、
前記演算手順は、取得された前記誘導灯の第１の画像及び前記誘導灯の第２の画像の輝度の違いを比較することにより、前記誘導灯の状態を特定する請求項１〜６のいずれか一つに記載の誘導灯評価プログラム。
【請求項８】
撮影された誘導灯の画像データを取得する画像取得部と；
取得された前記誘導灯の画像データに基づいて、撮影された前記誘導灯の輝度に関する情報を演算する演算部と；
取得された前記誘導灯の画像データと、演算された前記誘導灯の輝度に関する情報を前記誘導灯の画像データに重畳表示させた評価画像データとを表示させるように制御する表示制御部と；
を具備する誘導灯評価装置。
【請求項９】
撮影された誘導灯の画像データを取得する画像取得部と；
取得された前記誘導灯の画像データに基づいて、撮影された前記誘導灯の輝度に関する情報を演算する演算部と；
取得された前記誘導灯の画像データと、演算された前記誘導灯の輝度に関する情報を前記誘導灯の画像データに重畳表示させた評価画像データとを表示させるように制御する表示制御部と；
演算された前記誘導灯の輝度に関する情報を送信する送信部と；
送信された前記誘導灯の輝度に関する情報を受信する受信部と；
受信された前記誘導灯の輝度に関する情報に対応するコードを発行する発行部と；
を具備する、端末とサーバとを含む誘導灯評価システム。
【発明の詳細な説明】
【技術分野】
【０００１】
本発明の実施形態は、誘導灯評価プログラム、誘導灯評価装置及び誘導灯評価システムに関する。
【背景技術】
【０００２】
非常口の位置や避難経路等を示す誘導灯については、法令により輝度や色度などの条件が定められており、条件を満たすか否かを定期的に点検することが義務付けられている。
【０００３】
定期的に誘導灯を点検する場合、誘導灯を点検する管理者等の負担が増大する。そこで、画像処理を用いて測定対象物の輝度値または色度の評価を容易に行なうことができる誘導灯評価システムが知られている。
【先行技術文献】
【特許文献】
【０００４】
【特許文献１】特開２００１−２８３１９２号公報
【発明の概要】
【発明が解決しようとする課題】
【０００５】
しかし、上記技術においては、点検結果の確認が容易ではないという課題がある。
【０００６】
本発明が解決しようとする課題は、点検結果を容易に確認できる誘導灯評価プログラム、誘導灯評価装置及び誘導灯評価システムを提供することである。
【課題を解決するための手段】
【０００７】
実施形態に係る誘導灯評価プログラムは、撮影された誘導灯の画像データを取得する画像取得手順と、取得された誘導灯の画像データに基づいて、撮影された誘導灯の輝度に関する情報を演算する演算手順と、取得された誘導灯の画像データと、演算された誘導灯の輝度に関する情報を誘導灯の画像データに重畳表示させた評価画像データとを表示させるように制御する表示制御手順とを実行させる。
【図面の簡単な説明】
【０００８】
【図１】図１は、実施形態に係る実施結果の一例を示す図である。
【図２】図２は、実施形態に係る誘導灯評価システムの一例を示す図である。
【図３】図３は、実施形態に係る白色発行体を有する誘導灯の一例を示す図である。
【図４】図４は、実施形態に係るサーバが収集する評価結果の一例を示す図である。
【図５】図５は、実施形態に係る誘導灯評価装置の処理の一例を説明するフローチャートである。
【発明を実施するための形態】
【０００９】
以下、図面を参照して、実施形態に係る誘導灯評価プログラムを説明する。実施形態において同一の機能を有する構成には同一の符号を付し、重複する説明は省略する。なお、以下の実施形態で説明する誘導灯評価プログラムは、一例を示すに過ぎず、実施形態を限定するものではない。例えば、以下の実施形態では、誘導灯評価プログラムは、誘導灯以外にも、任意の照明装置等の評価にも適用することができる。なお、以下の各実施形態は、矛盾しない範囲内で適宜組みあわせてもよい。
【００１０】
以下で説明する実施形態に係る誘導灯評価プログラムは、撮影された誘導灯３００の画像データを取得する画像取得手順と、取得された誘導灯３００の画像データに基づいて、撮影された誘導灯３００の輝度に関する情報を演算する演算手順と、取得された誘導灯３００の画像データと、演算された誘導灯３００の輝度に関する情報を誘導灯３００の画像データに重畳表示させた評価画像データとを表示させるように制御する表示制御手順とを実行させる。
【００１１】
また、実施形態に係る誘導灯評価プログラムは、演算された誘導灯３００の輝度に関する情報を外部のサーバに送信する送信手順をさらに実行させる。
【００１２】
また、実施形態に係る誘導灯評価プログラムの演算手順は、輝度のキャリブレーションデータを用いて、撮影された誘導灯３００の輝度を校正する。
【００１３】
また、実施形態に係る誘導灯評価プログラムの画像取得手順は、所定の輝度の光を自発光する物体を撮影した画像データを含む、誘導灯３００の画像データを取得し、演算手順は、撮影された物体の輝度を用いて、画像データの輝度に関する情報を校正するように制御する。
【００１４】
また、実施形態に係る誘導灯評価プログラムは、誘導灯３００の状態に関する情報を誘導灯３００から無線通信により取得する状態取得手順をさらに実行させる。
【００１５】
また、実施形態に係る誘導灯評価プログラムの表示制御手順は、取得された誘導灯３００の状態に関する情報を含む評価画像データを表示させるように制御し、送信手順は、取得された誘導灯３００の状態に関する情報を外部のサーバに送信する。
【００１６】
また、実施形態に係る誘導灯評価プログラムの表示制御手順は、誘導灯３００の輝度画像、誘導灯３００の最大輝度の位置を明示した画像、誘導灯３００の最小輝度の位置を明示した画像、誘導灯３００の輝度対比が所定の輝度対比よりも低いことを文字で明示した画像、誘導灯３００の平均輝度が所定の平均輝度よりも低いことを文字で明示した画像、誘導灯３００の色度範囲が所定の色度範囲から外れていることを文字で明示した画像、誘導灯３００が交換時期であることを文字で明示した画像のうち、すくなくとも１つを含む評価画像データを表示させるように制御する。
【００１７】
また、実施形態に係る誘導灯評価プログラムの取得手順は、誘導灯３００がバッテリ駆動になった状態において撮影された、誘導灯３００の第１の画像データと、異なる時点における誘導灯３００の第２の画像データとを取得し、演算手順は、取得された誘導灯３００の第１の画像及び誘導灯３００の第２の画像の輝度の違いを比較することにより、誘導灯３００の状態を特定する。
【００１８】
また、実施形態に係る誘導灯評価装置１００は、撮影された誘導灯３００の画像データを取得する画像取得部１３１と、取得された誘導灯３００の画像データに基づいて、撮影された誘導灯３００の輝度に関する情報を演算する演算部１３２と、取得された誘導灯３００の画像データと、演算された誘導灯３００の輝度に関する情報を誘導灯３００の画像データに重畳表示させた評価画像データとを表示させるように制御する表示制御部１３５とを具備する。
【００１９】
また、実施形態に係る誘導灯評価システムは、端末（例えば誘導灯評価装置１００）とサーバ２００とを含む。誘導灯評価システムは、撮影された誘導灯３００の画像データを取得する画像取得部１３１と、取得された誘導灯３００の画像データに基づいて、撮影された誘導灯３００の輝度に関する情報を演算する演算部１３２と、取得された誘導灯３００の画像データと、演算された誘導灯３００の輝度に関する情報を誘導灯３００の画像データに重畳表示させた評価画像データとを表示させるように制御する表示制御部１３５と、演算された誘導灯３００の輝度に関する情報を送信する送信部（例えば通信部１１０）と、送信された誘導灯３００の輝度に関する情報を受信する受信部（例えば通信部２１０）と、受信された誘導灯３００の輝度に関する情報に対応するコードを発行する発行部（例えば制御部２３０）とを具備する。
【００２０】
［実施形態］
以下に、本発明にかかる誘導灯評価プログラムの実施形態を図面に基づいて詳細に説明する。
【００２１】
図１は、実施形態に係る実施結果の一例を示す図である。本実施例においては、例えばスマートフォンを誘導灯評価装置１００として用いる場合について説明する。
【００２２】
まず、図１の（ａ）に示すように、誘導灯評価装置１００は、誘導灯３００を撮影した画像データを取得し、表示部に表示させる。次に、図１の（ｂ）に示すように、誘導灯評価装置１００は、取得した写真画像を輝度画像に変換する。そして、誘導灯評価装置１００は、図１の（ｃ）に示すように、誘導灯３００に対する点検における評価結果（以下、単に「評価結果」と表記する場合がある。）を画像データに重畳させたレポートを、表示部に表示させる。レポートは、例えば図１に示すように、「１，２，３での輝度が低いです」など、問題のある個所や問題の内容を文字で表示する。
【００２３】
図１に示すように、誘導灯評価装置１００は、誘導灯３００を撮影した画像データを用いて誘導灯３００の輝度等の評価を行い、評価結果と画像データとを重畳したレポートを表示部に表示させる。
【００２４】
なお、誘導灯３００の評価項目としては、誘導灯３００の表示面の平均輝度に加えて、表示面の緑色領域及び白色領域それぞれにおける最大輝度値と最小輝度値との輝度比、隣接する緑色領域と白色領域との輝度対比、及び表示面の緑色領域の色度がある。そこで、以下の実施形態においては、誘導灯評価装置１００は、撮影された誘導灯３００の画像データから、誘導灯３００の表示面の各部分における輝度情報及び色情報を算出する。
【００２５】
なお、誘導灯にはＡ級、Ｂ級等の規格が定められており、誘導灯評価装置１００は、誘導灯３００を撮影する際に、当該誘導灯３００の規格を設定する。誘導灯３００の規格は、例えば誘導灯評価装置１００が誘導灯３００の画像パターンを算出し、公知のパターン認識技術を用いて誘導灯３００の規格を特定するよう実現するが、これに限られない。
【００２６】
［誘導灯評価システムの構成の一例］
図２は、実施形態に係る誘導灯評価システムの一例を示す図である。図２を参照し、実施形態に係る誘導灯評価装置１００を含む誘導灯評価システム１０００の一例につき説明する。図１に示す実施形態に係る誘導灯評価システム１０００は、誘導灯評価装置１００と、サーバ２００と、を備える。誘導灯評価装置１００と、サーバ２００とは、ネットワークＮを通じて通信可能に接続される。また、図１に示す実施形態に係る誘導灯評価システム１０００は一例であり、例えば複数の誘導灯評価装置１００又は複数のサーバ２００を備えるよう実現してもよい。
【００２７】
誘導灯評価装置１００は、例えばスマートフォンのような機器であり、誘導灯３００を撮影した画像データを用いて誘導灯３００の評価を行い、評価結果を出力する。また、後述するサーバ２００とは例えば携帯通信回線又は無線ＬＡＮで接続を行い、評価結果をサーバ２００に送信する。なお、誘導灯評価装置１００は、端末の一例である。
【００２８】
サーバ２００は、例えばコンピュータなどの情報処理装置であり、誘導灯評価装置１００から評価結果を受信して記憶する。
【００２９】
［誘導灯評価装置の構成の一例］
図２を参照し、誘導灯評価装置１００の構成について説明する。誘導灯評価装置１００は、通信部１１０と、記憶部１２０と、制御部１３０と、を備える。
【００３０】
通信部１１０は、無線通信処理を行うためのネットワークデバイスである。具体的には、通信部１１０は、ネットワークＮを通じて、図２に示すサーバ２００との間で、無線通信により各種情報を送受信する。例えば、通信部１１０は、制御部１３０から出力された評価結果を、サーバ２００に送信する。なお、通信部１１０は、送信部の一例である。
【００３１】
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。かかる記憶部１２０は、例えば、制御部１３０の処理に用いられる閾値、及び後に説明するキャリブレーションデータを記憶する。
【００３２】
制御部１３０は、例えば、ＡＳＩＣ（Application  Specific  Integrated  Circuit）やＦＰＧＡ（Field  Programmable  Gate  Array）等の集積回路により実現される。また、制御部１３０は、例えば、ＣＰＵ（Central  Processing  Unit）やＭＰＵ（Micro  Processing  Unit）等によって、内部の記憶装置に記憶されているプログラムがＲＡＭを作業領域として実行されることにより実現される。かかる制御部１３０は、画像取得部１３１と、演算部１３２と、情報取得部１３３と、判定部１３４と、表示制御部１３５とを有する。
【００３３】
画像取得部１３１は、誘導灯３００を撮影した画像データを取得する。画像取得部１３１は、例えば誘導灯評価装置１００が有する図示しないカメラにより撮影された、誘導灯３００の写真の画像データを取得する。なお、画像取得部１３１は、誘導灯評価装置１００のカメラが有するオートゲインコントロール等の機能を解除し、又は所定の撮影モードに設定する。
【００３４】
なお、誘導灯３００の平均輝度や平均輝度対比は、一般社団法人日本照明工業会が定める「誘導灯器具及び避難誘導システム用技術基準」（ＪＩＬ５５０２：２００８）において基準が定められている。例えば、誘導灯３００の平均輝度の基準は６５〜１０００ｃｄ／ｍ２である。画像取得部１３１は、定められている６５〜１０００ｃｄ／ｍ２の範囲で輝度を検出できるような画像を取得できればよいが、これに限られず、これより広い範囲の輝度を取得するような構成であってもよい。
【００３５】
演算部１３２は、画像取得部１３１により取得された画像データを用いて、輝度情報を演算する。例えば、演算部１３２は、取得された画像データの輝度情報を算出し、画像データの輝度情報を判定部１３４に出力する。
【００３６】
また、画像取得部１３１により取得される画像データは、誘導灯評価装置１００が有するカメラの性能等に応じて異なるので、同じ輝度の誘導灯３００を異なる誘導灯評価装置１００で撮影した場合、取得された画像データから得られる輝度情報が異なる場合がある。そこで、演算部１３２は、画像データの輝度情報を校正する。
【００３７】
演算部１３２は、例えば、記憶部１２０に記憶された、誘導灯評価装置１００として動作するスマートフォンの機種に応じて設定されたキャリブレーションデータを用いて画像データの輝度情報を校正するが、これに限られない。演算部１３２は、例えば、画像データに含まれる、白色輝度が一定となるキャリブレーションポイントを用いて輝度情報を校正してもよい。なお、画像データに含まれるキャリブレーションポイントは、例えば誘導灯３００の近傍に設置された白色校正板であるが、これに限られず、誘導灯３００そのものがキャリブレーションポイントとなる白色発光体を有するよう実現してもよい。
【００３８】
図３は、実施形態に係る白色発行体を有する誘導灯の一例を示す図である。図３に示す誘導灯３００は、開閉可能に取り付けられたカバー１１００と、初期照度補正機能を有する白色ＬＥＤ１２００とを有する。白色ＬＥＤ１２００は、例えば１００ｃｄ／ｍ２の輝度の白色光を発光する。画像取得部１３１は、誘導灯３００のカバー１１００が開かれ、白色ＬＥＤ１２００が点灯している状態の誘導灯３００の画像データを取得する。また、演算部１３２は、取得された画像データに含まれる、白色ＬＥＤ１２００の輝度情報を用いて、画像データの輝度情報を校正する。
【００３９】
情報取得部１３３は、評価の対象とする誘導灯３００に関する情報を取得する。情報取得部１３３は、例えば、誘導灯３００が可視光通信等の無線通信手段により送信する、誘導灯３００の規格に関する情報や、誘導灯３００の点灯時間、バッテリの残量などの状態に関する情報を受信し、判定部１３４及び通信部１１０に出力する。
【００４０】
なお、情報取得部１３３が取得する情報はこれに限られず、誘導灯３００が設置された位置に関する情報などを取得してもよい。また、情報取得部１３３が情報を取得する方法は、誘導灯３００が送信する情報を受信する方法に限られず、誘導灯３００に貼付されたＱＲコード（登録商標）等を読み取る方法や、サーバ２００など、誘導灯３００以外の装置から受信する方法により情報を取得してもよい。
【００４１】
判定部１３４は、誘導灯３００の表示面の輝度が、所定の条件を満たすか否かを判定する。判定部１３４は、演算部１３２から出力された輝度情報を用いて、誘導灯３００の表示面の各部位について、平均輝度、輝度比、輝度対比、色度等が記憶部１２０に記憶された所定の閾値以上であるか否かを判定する。
【００４２】
判定部１３４は、例えば、情報取得部１３３から出力を受けた誘導灯３００の規格に関する情報を用いて、誘導灯３００の表示面を、上部、中部、下部、及び左側、中央、右側などに区分し、各部分を計測ポイントとして判定を行う。判定部１３４は、平均輝度、輝度比、輝度対比、色度等の判定結果を、表示制御部１３５及び通信部１１０に出力する。
【００４３】
なお、判定部１３４は、例えば画像データに白とびがあった場合や、画像データの非常に狭い範囲のみ（１画素など）で基準を満たさない場合、その部分を無視するよう実現させてもよい。
【００４４】
表示制御部１３５は、誘導灯３００を撮影した画像データの画像、及び画像データに評価結果を重畳した画像を表示させる。表示制御部１３５は、例えば図１の（ｃ）に示すような、評価結果を重畳させた画像を、誘導灯評価装置１００の表示部に表示させる。
【００４５】
なお、表示制御部１３５は、誘導灯評価装置１００を利用する評価者が、誘導灯３００を撮影する際に、誘導灯３００の規格に関する情報を用いて、誘導灯３００の撮影エリアをガイドするためのサポート画像を、誘導灯評価装置１００の表示部に表示させるよう実現してもよい。
【００４６】
［サーバの構成の一例］
次に、サーバ２００の構成について説明する。サーバ２００は、通信部２１０と、記憶部２２０と、制御部２３０と、を備える。
【００４７】
通信部２１０は、有線又は無線での通信処理を行うためのネットワークデバイスである。具体的には、通信部２１０は、ネットワークＮを通じて、誘導灯評価装置１００との間で各種情報を送受信する。例えば、通信部２１０は、後に説明する制御部２３０が発行する検査コードを誘導灯評価装置１００に送信する。なお、通信部２１０は、受信部の一例である。
【００４８】
記憶部２２０は、例えば、ＲＡＭ、フラッシュメモリ等の半導体メモリ素子、または、ハードディスク、光ディスク等の記憶装置によって実現される。かかる記憶部２２０は、例えば、制御部２３０の処理に用いられる情報を記憶する。また、記憶部２２０は、誘導灯評価装置１００から収集した評価結果を記憶する。
【００４９】
図４は、実施形態に係るサーバが収集する評価結果の一例を示す図である。例えば、図４に例示するように、記憶部２２０は、誘導灯３００の識別情報及び設置場所を対応付けて識別する「検査コード」と、誘導灯３００の点検が行われた「点検日時」及び「点検結果」と、誘導灯３００の「稼働開始日」とを対応付けて記憶する。
【００５０】
制御部２３０は、例えば、ＡＳＩＣやＦＰＧＡ等の集積回路により実現される。また、制御部１３０は、例えば、ＣＰＵやＭＰＵ等によって、内部の記憶装置に記憶されているプログラムがＲＡＭを作業領域として実行されることにより実現される。
【００５１】
制御部２３０は、通信部２１０を通じて誘導灯評価装置１００から受信した評価結果を、記憶部２２０に記憶する。また、制御部２３０は、サーバ２００の利用者による要求に対応して、記憶部２２０に記憶された評価結果を出力する。なお、制御部２３０は、発行部の一例である。
【００５２】
［誘導灯評価装置の処理手順］
図５を参照して、誘導灯評価装置１００における処理の流れの一例を説明する。図５は、実施形態に係る誘導灯評価装置の処理の一例を説明するフローチャートである。
【００５３】
図５に示すように、まず、誘導灯評価装置１００の画像取得部１３１は、撮影対象となる範囲内に、キャリブレーションポイントがあるか否かを判定する（ステップＳ１０１）。
【００５４】
この結果、画像取得部１３１は、キャリブレーションポイントがあると判定した場合には（ステップＳ１０１肯定）、誘導灯３００の表示面及びキャリブレーションポイントを撮影した画像データを取得する（ステップＳ１１１）。演算部１３２は、撮影された画像データに含まれるキャリブレーションポイントの輝度情報を用いて、画像データの輝度情報を校正する（ステップＳ１１２）。
【００５５】
また、画像取得部１３１は、キャリブレーションポイントがないと判定した場合には（ステップＳ１０１否定）、誘導灯３００の表示面を撮影した画像データを取得する（ステップＳ１２１）。また、演算部１３２は、記憶部１２０からキャリブレーションデータを取得し（ステップＳ１２２）、取得したキャリブレーションデータを用いて、画像データの輝度情報を校正する（ステップＳ１２３）。
【００５６】
次に、表示制御部１３５は、校正された画像データを表示部に表示する（ステップＳ１３１）。次に、演算部１３２は、画像データに含まれる測定対象部分を特定し（ステップＳ１３２）、特定された測定対象部分の画像を輝度画像に変換する（ステップＳ１３３）。
【００５７】
次に、判定部１３４は、変換された輝度画像の計測ポイントが要点検項目に該当するか否かを判定する（ステップＳ１３５）。この結果、計測ポイントが要点検項目に該当しないと判定した場合（ステップＳ１３５否定）、ステップＳ１４２の処理に進む。
【００５８】
判定部１３４は、計測ポイントが要点検項目に該当すると判定した場合（ステップＳ１３５肯定）、該当計測ポイントに「×」印を明示する（ステップＳ１４１）。
【００５９】
次に、判定部１３４は、測定対象部分に含まれる全ての計測ポイントについて判定が完了したか否かを判定する（ステップＳ１４２）。全ての計測ポイントについて判定が完了していない場合（ステップＳ１４２否定）、ステップＳ１３５の処理に戻って処理を繰り返す。
【００６０】
表示制御部１３５は、全ての計測ポイントについて判定が完了した場合（ステップＳ１４２肯定）、判定結果を表示部に表示させる（ステップＳ１４３）。また、通信部１１０は、画像データ及び判定結果を含むデータをサーバ２００に送信する（ステップＳ１４４）。
【００６１】
このように、誘導灯評価装置１００は、撮影された誘導灯３００の画像データを取得する画像取得手順と、取得された誘導灯３００の画像データに基づいて、撮影された誘導灯３００の輝度に関する情報を演算する演算手順と、取得された誘導灯３００の画像データと、演算された誘導灯３００の輝度に関する情報を誘導灯３００の画像データに重畳表示させた評価画像データとを表示させるように制御する表示制御手順とを実行させる。
【００６２】
［その他の実施形態］
上述した実施形態において、誘導灯評価システム１０００の各機能ブロックは、それぞれどの装置によって実装されていてもよい。例えば、誘導灯評価装置１００の機能ブロックの一部をサーバ２００が実装していてもよく、サーバ２００の機能ブロックの一部を誘導灯評価装置１００が実装していてもよい。また誘導灯評価装置１００の機能ブロックとサーバ２００の機能ブロックとを一つのコンピュータが合わせ持つよう実現してもよい。
【００６３】
また、誘導灯評価装置１００がサーバ２００に送信する情報は、誘導灯３００の画像データ及び評価結果に限られない。例えば、誘導灯評価装置１００が、ＧＰＳ（Global  Positioning  System）機能、地磁気センサ等を用いて位置情報を特定し、サーバに送信するよう実現してもよい。また、誘導灯評価装置１００が、建物内における誘導灯３００の設置位置や、撮影された誘導灯３００の識別情報等をさらにサーバ２００に送信してもよい。また、誘導灯評価装置１００が、例えばＥｘｉｆ形式の画像ファイルなど、位置情報やタイムスタンプ、評価者の情報等を含む画像データをサーバ２００に送信してもよい。さらに、サーバ２００が、受信した画像データと、記憶部２２０に記憶される各種の情報とを対応付けて記憶してもよい。
【００６４】
また、誘導灯評価装置１００は、例えば誘導灯３００の評価結果を取得する都度、画像データ及び評価結果をサーバ２００に送信するが、これに限られない。例えば、誘導灯評価装置１００は、一つの建物の中の複数の誘導灯３００の評価結果を取得した時点で、取得した画像データ及び評価結果を一括してサーバ２００に送信するよう実現してもよい。
【００６５】
また、上述した実施形態において、画像データから演算された輝度が、所定の輝度より低いことを文字で明示した評価結果画面について説明したが、これに限定されるものではない。例えば、表示制御部１３５が、誘導灯３００の表示面における最大輝度の位置や最小輝度の位置を表示させるよう実現してもよい。さらに、表示制御部１３５が、誘導灯３００の表示面において、画像データから演算された輝度対比が所定の輝度対比よりも低いことを文字で明示し、又は画像データから演算された色度が所定の色度範囲から外れていることを文字で明示するよう実現してもよい。
【００６６】
なお、誘導灯３００の規格を設定する処理は上述したものに限られず、例えば誘導灯評価装置１００の表示部にプルダウンメニューを表示させ、評価者による選択を受け付けるような構成や、誘導灯３００に貼付されたＱＲコードを読み取る構成により実現できる。さらに、誘導灯３００が、可視光通信等の無線通信手段により、誘導灯３００の規格に関する情報を送信し、情報取得部１３３が誘導灯３００の規格に関する情報を受信することにより、誘導灯評価装置１００が誘導灯３００の規格を特定するよう実現してもよい。
【００６７】
また、誘導灯評価装置１００が、誘導灯評価プログラムを起動する際に、サーバ２００にリクエストを送信し、サーバ２００からＡＣＫを受信した場合に、誘導灯３００の画像データを取得し、評価結果を出力するよう実現してもよい。
【００６８】
また、サーバ２００が、収集された誘導灯３００の状態に関する情報を用いて、特定の位置に設置された誘導灯３００の交換時期が早いなど、エリア単位等での誘導灯３００の状態の傾向を分析し、新たな誘導灯３００の商品開発に用いてもよい。また、サーバ２００が、交換時期にある誘導灯３００を抽出して交換機器のリコメンド情報を生成したり、誘導灯３００の評価に伴う業務の報酬を算出したりするよう実現してもよい。
【００６９】
さらに、画像データを用いて輝度情報を算出する構成は上述したものに限られず、誘導灯評価装置１００が、公知の照度計を用いて測定された誘導灯３００周辺の照度から、誘導灯３００の輝度を推定するよう実現してもよい。
【００７０】
なお、上述の実施形態では、誘導灯３００の画像データを１枚取得して、誘導灯３００の評価を行う場合を説明したが、これに限定されるものではなく、誘導灯３００の異なる時点における複数の画像を取得して、誘導灯３００の評価を行うようにしてもよい。
【００７１】
例えば、誘導灯３００の点検項目として、非常時にバッテリ駆動状態に切り替わった場合、所定の時間が経過した後にも平均輝度等が所定の条件を満たしていることがある。そこで、以下において、異なる時点において撮影された複数の画像データを取得して誘導灯３００の評価を行う場合について説明する。
【００７２】
まず、画像取得部１３１は、バッテリ駆動状態に切り替わった誘導灯３００を撮影した第１の画像データを取得する。また、画像取得部１３１は、第１の画像データの取得後、所定の時間が経過した後に、バッテリ駆動状態に切り替わった誘導灯３００を撮影した第２の画像データを取得する。なお、所定の時間は、例えば基準で定められた２０分間であるが、これに限られず、これより短い時間であってもよい。バッテリ駆動状態に切り替わった後は、バッテリで光源が点灯されるため、バッテリが劣化している場合には平均輝度の時間変化が速くなる。このため、第１の画像データを取得してから第２の画像データを取得するまでの時間、つまり所定の時間が２０分よりも短い場合であっても、例えば第１の画像データと第２の画像データの平均輝度の差からバッテリ駆動してから２０分経過後の平均輝度を推定し、所定の条件を満たしているかを判断してもよい。また、取得する画像データの数はこれに限られず、第３の画像データをさらに取得するよう実現してもよい。これによって、バッテリ駆動状態における光源の平均輝度の時間変化をより正確に判断することができる。
【００７３】
演算部１３２は、第１の画像データ及び第２の画像データのそれぞれについて、輝度情報を算出する。
【００７４】
判定部１３４は、第１の画像データの輝度情報等、及び第２の画像データの輝度情報等のそれぞれについて、所定の閾値以上であるか否かについての判定を行う。
【００７５】
また、表示制御部１３５は、評価結果を表示させる際に、第１の画像に評価結果を重畳した画像に加えて、第２の画像に評価結果を重畳した画像を表示させる。
【００７６】
このように、誘導灯評価装置１００は、誘導灯３００がバッテリ駆動になった状態において撮影された、誘導灯３００の第１の画像データと、異なる時点における誘導灯３００の第２の画像データとを取得し、演算手順は、取得された誘導灯３００の第１の画像及び誘導灯３００の第２の画像の輝度の違いを比較することにより、誘導灯３００の状態を特定する。
【００７７】
また、誘導灯評価装置１００が誘導灯３００を撮影する際に、日照や周辺の照明などの外乱要因により、撮影された画像から得られる輝度情報が変化する場合がある。そこで、誘導灯評価装置１００が、誘導灯３００の画像を異なる角度から複数枚撮影し、複数枚の画像を用いて誘導灯３００の輝度情報を算出するよう実現してもよい。
【００７８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７９】
１００  誘導灯評価装置
１１０  通信部
１２０  記憶部
１３０  制御部
１３１  画像取得部
１３２  演算部
１３３  情報取得部
１３４  判定部
１３５  表示制御部
２００  サーバ
２１０  通信部
２２０  記憶部
２３０  制御部
１０００  誘導灯評価システム
Ｎ  ネットワーク
【図１】
2018036921.tif 000003
【図２】
2018036921.tif 000004
【図３】
2018036921.tif 000005
【図４】
2018036921.tif 000006
【図５】
2018036921.tif 000007